(57)【要約】【課題】  ドアを外すことなくメンテナンス可能な吊下げ式ドアのドアガイド装置を提供することを目的とする。【解決手段】  開口部６０を開閉する吊下げ式ドア４０の閉成端側に立設する側柱３０の基端部３１とその床面７０とのコーナー箇所に、前記床面７０に載置し先端側に前記ドア４０を案内するガイドローラ５を設けた平板部３と後端側に前記基端部３１に沿わせた立板部４を設けて略Ｌ字状に形成した基板２と、前記立板部４に固着させ前記側柱３０に係合する略コ字状のブラケット６とを備えたドアガイド装置１であって、前記ブラケット６を前記側柱３０に取着させてドア４０の吊り下げ状態のまま着脱できるようにする。【選択図】  図４
2005200871.tif 000002
【特許請求の範囲】
【請求項１】
開口部を開閉する吊下げ式ドアの閉成端側に立設する側柱の基端部とその床面とのコーナー箇所に、前記床面に載置し先端側に前記ドアを案内するガイドローラを設けた平板部と後端側に前記基端部に沿わせた立板部を設けて略Ｌ字状に形成した基板と、前記立板部に固着させ前記側柱に係合する略コ字状のブラケットとを備えたドアガイド装置であって、前記ブラケットを前記側柱に取着させてドアの吊り下げ状態のまま着脱可能とすることを特徴とする吊下げ式ドアのドアガイド装置。
【請求項２】
前記ブラケットを側柱に遊嵌状に係合するようにさせ、前記ブラケットには側柱との隙間に固定手段を設けたことを特徴とする請求項１記載の吊下げ式ドアのドアガイド装置。
【発明の詳細な説明】
【技術分野】
【０００１】
本発明は、片引き、引分けを問わず、手動、自動の吊下げ式ドア（通称ハンガードア）の閉成端部に立設している側柱の基端部とその床面とのコーナー箇所に設けられて、ドア下端部を案内するために用いる吊下げ式ドアのドアガイド装置に関する。
【背景技術】
【０００２】
吊下げ式ドア（以下、適宜「ドア」と略す。）は機構上、上部ハンガーレールにハンガーローラを係合させてドア本体を吊り下げるため、そのままでは開閉時にドア下端部側面の前後方向への揺動が生じ易い。そこでドア下端部にガイドを設け、床面に設けた案内溝に案内させるものがあるが、この機構では案内溝に塵埃が詰まる等の新たな問題が生じる。かかる問題を解消するものとして、従来、該ドアの閉成端部側に立設された側柱の基端部と床面とのコーナ箇所に、平板部と、その一端に立設した立板部とからなる基板を取着可能にして設けるとともに、上記平板部の先端側に、第１ガイドローラを設ける一方、立板部にも第２ガイドローラを設け、ドアの下端部側を第１ガイドローラ及び第２ガイドローラ間に走行案内させるようにしたドアの下部案内装置が知られている（特許文献１参照）。
【特許文献１】実公平８−３６５６号
【発明の開示】
【発明が解決しようとする課題】
【０００３】
この従来技術によれば、立板部が側柱に取着され、立板部がドアのいかなる開閉姿勢においても後面に隠れてしまうため、簡単に下部案内装置を外すことができないという防犯機能を有する点では優れているが、例えば立板部の第２ガイドローラを交換したい場合や、下部案内装置全体を交換、メンテナンス等行おうとする場合には、かえってこの取着態様が障害となって重量物であるドアを外さないと作業ができなくなるという課題がある。
【０００４】
本発明は、上記の従来技術が有する課題に鑑みしたもので、簡単な構造でありながら、ドアを取外すことなく簡単に取着や交換、メンテナンス等ができる吊下げ式ドアのドアガイド装置を提供することを目的とする。
【課題を解決するための手段】
【０００５】
上記の課題を解決するため本発明は、請求項１に記載のとおり、開口部を開閉する吊下げ式ドアの閉成端側に立設する側柱の基端部とその床面とのコーナー箇所に、前記床面に載置し先端側に前記ドアを案内するガイドローラを設けた平板部と後端側に前記基端部に沿わせた立板部を設けて略Ｌ字状に形成した基板と、前記立板部に固着させ前記側柱に係合する略コ字状のブラケットとを備えたドアガイド装置であって、前記ブラケットを前記側柱に取着させてドアの吊り下げ状態のまま着脱可能とすることを特徴とする。
また、請求項２に記載のとおり、請求項１に記載の発明において、前記ブラケットを側柱に遊嵌状に係合するようにさせ、前記ブラケットには側柱との隙間に固定手段を設けたことを特徴とする。
【発明の効果】
【０００６】
請求項１に記載の発明に係る吊下げ式ドアのドアガイド装置によれば、単一の大きさの側柱に係合する略コ字状のブラケットを備えているから、そのまま側柱に跨嵌することができる。その上、ブラケットが立板部に固着されるようになっているから、基板を構成する平板部や立板部を床面等に取着固定する必要もなく、ブラケットを外すだけでドアガイド装置全体を外すことができ、ドアガイド装置の交換やメンテナンスを容易に行うことができる。さらにブラケットが略コ字状であるため、ドアガイド装置全体がドアの開閉時の衝撃によって外れることもない。
【０００７】
また、請求項２に記載の発明に係る吊下げ式ドアのドアガイド装置によれば、前項記載の発明の構成要素にさらにブラケットの裏面側に側柱との固定手段を付加したものであるから，上記した前項記載の発明の効果に加え、単一の大きさの側柱のみならず各種大きさの側柱にも対応させることができる。
【発明を実施するための最良の形態】
【０００８】
次に、本発明に係る吊下げ式ドアのドアガイド装置の一実施例について図面を参照しながら説明する。図１は本発明に係る吊下げ式ドアのドアガイド装置１を設置した開口部を含む吊りドア装置の概略を示す全体図であって、（Ａ）はその正面図、（Ｂ）はその平面図、（Ｃ）はその側面図である。図２はドアガイド装置１の概略斜視図、図３はその平面図である。
ドアガイド装置１はガイドローラ５を装備した基板２とブラケット６とから成る。
基板２は床面７０に載置される平板部３と平板部３の一側端から基端部３１に沿わせた立板部４とで略Ｌ字状に形成したものである。基板２の材質は、スチール、ステンレスの鋼板を一体プレス加工したものであるが、平板部３と立板部４を別部材として溶接ないし接着工法によって結合したものでもよい。また、これら部材はアルミ押し出しによる一体成形材でもよく、また合成樹脂一体成型によるものでもよい。
【０００９】
平板部３の先端側（図２の右側）には、平板部３に立設した図示しない軸承杆にガイドローラ５が軸支されている。このガイドローラ５はカバー２０によって覆われている。ここで平板部３、立板部４は床面７０、基端部３１に取り付けることなく固定できるため、従来技術のような固定用孔や固定用ボルト等を必要としない。
【００１０】
図２及び図３に示すように、ブラケット６は、立板部４と重ね合わせて固着する第一折曲辺７と、この第一折曲辺７の開口部６０側端から連続して折曲した第二折曲辺８と、第三折曲辺９とで略コ字状に形成してなる。９ａは押しボルト１３を螺合させるための螺子切りされた螺子孔である。ブラケット６の材質は、基板２と同様にスチール、ステンレスの鋼板を一体プレス加工したものであるが、アルミ押し出しによる一体成形材でもよく、また合成樹脂一体成型によるものでもよい。
【００１１】
第一折曲辺７と立板部４とは、重ね合わせ周囲を溶接により固着されている。
第二折曲辺８は側柱３０の見付け面３２の幅に対応させるため、該見付け幅より若干大きい幅寸法とする。また第三折曲辺９は側柱３０の反対側基端部３３に対応させため、第二折曲辺８の端部を第一折曲辺７方向に折曲形成させる。
【００１２】
固定手段１０は、押しボルト１３と、スペーサ１２とからなる。押しボルト１３は第三折曲辺９の螺子孔９ａに螺合され、さらにその先端が当て板１２の凹部１２ａに当接させている。このようにしたのは第三折曲辺９と反対側基端部３３との隙間に最適な厚さの当て板１２を適宜差し替えできるようにするためである。
また、押しボルト１３を凹部１２ａに当接させるようにしたのは、当て板１２の脱落防止のためである。押しボルト１３を締め付け方向に回転進出させると当て板１２が反対側基端部３３側に押圧移動する。
【００１３】
図４及び図５は、本発明に係る吊下げ式ドアのドアガイド装置の他の実施例であって、図４は吊下げ式ドアのドアガイド装置１の概略斜視図、図５はその平面図を示す。この実施例では上記した一実施例における第二折曲辺８に螺子挿通孔８ａを設け（図６参照）、この螺子挿通孔８ａを介して螺子１１を側柱３０の見付け面３２に螺着させるようにしたものである。この螺着により、この吊下げ式ドアのドアガイド装置１全体を側柱３０に、より強固に固定することができる。これにより重いドアに対する耐久性が向上する。
【００１４】
また、図６に示すように、第一折曲辺７に弾性膨出片２５をガイドローラ５に対向させるように設けてもよい。弾性膨出片２５は薄板状の弾性板（例えばバネ鋼板）を湾曲状に加工したものであって、弾性膨出片２５の一方側端２７が第一折曲辺７に螺子２９で止着され、他端２８は自由端となっている。膨出部２６はガイドローラ５に対向させるようになっている。
【００１５】
次にドアガイド装置１の取付け及び取り外し手順について説明する。
すでに吊り込みしたドア４０を戸袋に収納する。ドア４０の下端部をガイドローラ５、第一折曲辺７の間に介装させる。このとき、ブラケット６は側柱３０に遊びがある状態で嵌め込まれる。つぎに隙間調整手段１０の押しボルト１３を締め付け方向に回転する。すると当て板１２が押しボルト１３に押圧されて反対側基端部３３側に変移し、反対側基端部３３に圧接される。これによってブラケット６は側柱３０の三方面に揺ぎなく嵌め込まれるから、ドアガイド装置１はしっかり動かぬようにさせることができる。最後にカバー２０をガイドローラ５に被せる。固定をより強固にしたい場合には、開口部６０側から第二折曲辺８の螺子挿通孔８ａを介して螺子１１を側柱３０の見付け面３２に螺着させればよい。
【００１６】
他方、ドアガイド装置１を取外すには、押しボルト１３を緩め方向に回転させれば容易に開口部６０側にドアガイド装置１を引き出して外すことができる。
【００１７】
以上のように基板２はブラケット６に一体化しているから、立板部４や平板部３を基端部３１や床面７０に取付ける必要がなく、ドアガイド装置１の着脱を容易に行うことができる。
【００１８】
本発明ではブラケット６を取着させる相手構造を側柱３０としたがもとよりこれに限定されるものではなく、戸袋側の立設躯体が例えば壁体であってもよく、間仕切り、建具枠であってもよい。
【図面の簡単な説明】
【００１９】
【図１】本発明に係る吊下げ式ドアのドアガイド装置を設置した開口部を含む吊ドア装置の概略を示す全体図であって、同図（Ａ）はその正面図、同図（Ｂ）はその平面図、同図（Ｃ）はその側面図である。
【図２】本発明に係る吊下げ式ドアのドアガイド装置の一実施例の概略斜視図である。
【図３】図２の平面図である。
【図４】本発明に係る吊下げ式ドアのドアガイド装置の他の実施例の概略斜視図である。
【図５】図４の平面図である。
【図６】第一折曲辺に弾性膨出片を設けた本発明に係る吊下げ式ドアのドアガイド装置の概略斜視図である。
【符号の説明】
【００２０】
１  ドアガイド装置
２  基板
３  平板部
４  立板部
５  ガイドローラ
６  ブラケット
７  第一折曲辺
８  第二折曲辺
９  第三折曲辺
１０  固定手段
３０  側柱
３１  基端部
４０  ドア
６０  開口部
７０  床面      
【図１】
2005200871.tif 000003
【図２】
2005200871.tif 000004
【図３】
2005200871.tif 000005
【図４】
2005200871.tif 000006
【図５】
2005200871.tif 000007
【図６】
2005200871.tif 000008